(57)【要約】【課題】調光装置の小型化および軽量化を実現する。【解決手段】調光装置１０は、第１固定フレーム２０と、第１固定フレームに固定された第２固定フレーム３０と、第１及び第２固定フレームの間に配置され第１及び第２固定フレームに対して一軸方向ｄａに摺動可能な可動フレーム４０と、第１固定フレームに保持された第１調光制御板６０と、可動フレームに保持された第２調光制御板７０と、可動フレームに形成された貫通孔４５を貫通して第１及び第２固定フレームの間を延びる固定具１５と、を含む。貫通孔と固定具との係合により、第１及び第２固定フレームに対する可動フレームの前記一軸方向への摺動が案内される。調光装置の透過率は、第１及び第２調光制御板の相対位置に応じて変化する。【選択図】図１
2015140535.tif 000002
【特許請求の範囲】
【請求項１】
第１固定フレームと、
前記第１固定フレームに固定された第２固定フレームと、
前記第１固定フレームと前記第２固定フレームとの間に配置され、前記第１固定フレームおよび前記第２固定フレームに対して一軸方向に摺動可能な可動フレームと、
前記第１固定フレームに保持された第１調光制御板と、
少なくとも部分的に前記第１調光制御板と対面するようにして前記可動フレームに保持された第２調光制御板と、
前記可動フレームに形成された貫通孔を貫通して、前記第１固定フレームと前記第２固定フレームとの間を延びる固定具と、を備え、
前記貫通孔と前記固定具との係合により、前記第１固定フレームおよび前記第２固定フレームに対する前記可動フレームの前記一軸方向への摺動が案内され、
前記第１調光制御板及び前記第２調光制御板の両方を透過する光の透過率は、前記第１調光制御板及び前記第２調光制御板の相対位置に応じて変化する、調光装置。
【請求項２】
前記第１調光制御板は、互いに異なる光学特性を有した二種類の領域を含む第１光制御シートを有し、前記二種類の領域は、前記一軸方向に一定のピッチで繰り返し配置され、
前記第２調光制御板は、互いに異なる光学特性を有した二種類の領域を含む第２光制御シートを有し、前記二種類の領域は、前記一軸方向に前記一定ピッチで繰り返し配置されている、請求項１に記載の調光装置。
【発明の詳細な説明】
【技術分野】
【０００１】
本発明は、二つの光制御シートを相対移動させることによって調光を行う調光装置に関する。
【背景技術】
【０００２】
例えば、特許文献１に示すように、二つの光制御シートを相対移動させることによって調光を行う調光装置が知られている。調光装置は、例えば、窓やパーテーションに適用される。二つの光制御シートを相対移動させることにより、光透過率の調節を可能にし、典型的には遮光と透過の切り換えを実現する。
【先行技術文献】
【特許文献】
【０００３】
【特許文献１】ＷＯ２０１３−１１２４２６Ａ１
【発明の概要】
【発明が解決しようとする課題】
【０００４】
実際の利用において、第１の光制御シートは、その周縁を第１フレームに保持され、第２の光制御シートが可動フレームに保持される。可動フレームは、第１フレームと、当該第１フレームに対向して配置された第２フレームと、の間に摺動可能に保持される。
【０００５】
また、第１フレームおよび第２フレームの外周縁の外方には、第１フレームおよび第２フレームを連結するガイドスペーサが設けられている。ガイドスペーサは、第１フレームおよび第２フレームの外周縁上を周状に延びている。このガイドスペーサは、第１フレームおよび第２フレームを一定の間隔に保ち、且つ、可動フレームの第１フレームおよび第２フレームに対する相対移動を誘導する。
【０００６】
しかしながら、ガイドスペーサが、第１フレームおよび第２フレームの外周縁上を周状に延びていると、調光装置の平面視における外形状が大型化し且つ調光装置が重量化してしまう。その一方で、大型化を回避しようとすると、光制御シートが露出している面積を小さくしなければならない。
【０００７】
本発明は、以上の点を考慮してなされたものであり、調光制御板が露出している面積を維持しながら、調光装置の小型化および軽量化を実現することを目的とする。
【課題を解決するための手段】
【０００８】
本発明による調光装置は、
第１固定フレームと、
前記第１固定フレームに固定された第２固定フレームと、
前記第１固定フレームと前記第２固定フレームとの間に配置され、前記第１固定フレームおよび前記第２固定フレームに対して一軸方向に摺動可能な可動フレームと、
前記第１固定フレームに保持された第１調光制御板と、
少なくとも部分的に前記第１調光制御板と対面するようにして前記可動フレームに保持された第２調光制御板と、
前記可動フレームに形成された貫通孔を貫通して、前記第１固定フレームと前記第２固定フレームとの間を延びる固定具と、を備え、
前記貫通孔と前記固定具との係合により、前記第１固定フレームおよび前記第２固定フレームに対する前記可動フレームの前記一軸方向への摺動が案内され、
前記第１調光制御板及び前記第２調光制御板の両方を透過する光の透過率は、前記第１調光制御板及び前記第２調光制御板の相対位置に応じて変化する。
【０００９】
本発明による調光装置において、
前記第１調光制御板は、互いに異なる光学特性を有した二種類の領域を含む第１光制御シートを有し、前記二種類の領域は、前記一軸方向に一定のピッチで繰り返し配置され、
前記第２調光制御板は、互いに異なる光学特性を有した二種類の領域を含む第２光制御シートを有し、前記二種類の領域は、前記一軸方向に前記一定ピッチで繰り返し配置されていてもよい。
【００１０】
本発明による調光装置において、前記第１固定フレームおよび前記第２固定フレームに対して前記可動フレームを正規の位置から一方の向きに回転させようとした際に生じる前記可動フレームのがたつきを、前記可動フレームの外周縁上の一点における前記一軸方向に沿った最大ずれ量として評価した場合、当該最大ずれ量は、０．１０ｍｍ以下であるようにしてもよい。
【００１１】
本発明による調光装置において、
前記第１固定フレーム、前記第１固定フレーム及び前記可動フレームは、それぞれ、四角形形状の開口を周状に取り囲む四つの縁部を有しており、
前記第１調光制御板は、前記第１固定フレームの前記開口に対面する位置に保持され、前記第２調光制御板は、前記可動フレームの前記開口に対面する位置に保持されているようにしてもよい。
【００１２】
本発明による調光装置において、
前記四つの縁部は、前記一軸方向に対向して位置する第１縁部および第２縁部と、前記一軸方向に直交する他方向に対向して位置する第３縁部および第４縁部と、を含み、
前記第１縁部または前記第２縁部のみに、前記固定具および前記貫通孔が設けられているようにしてもよい。
【００１３】
本発明による調光装置において、
前記四つの縁部は、前記一軸方向に対向して位置する第１縁部および第２縁部と、前記一軸方向に直交する他方向に対向して位置する第３縁部および第４縁部と、を含み、
前記第３縁部または前記第４縁部のみに、前記固定具および前記貫通孔が設けられているようにしてもよい。
【００１４】
本発明による調光装置において、
前記四つの縁部は、前記一軸方向に対向して位置する第１縁部および第２縁部と、前記一軸方向に直交する他方向に対向して位置する第３縁部および第４縁部と、を含み、
前記第１縁部および前記第２縁部のみに、前記固定具および前記貫通孔が設けられているようにしてもよい。
【００１５】
本発明による調光装置において、
前記四つの縁部は、前記一軸方向に対向して位置する第１縁部および第２縁部と、前記一軸方向に直交する他方向に対向して位置する第３縁部および第４縁部と、を含み、
前記第３縁部および前記第４縁部のみに、前記固定具および前記貫通孔が設けられているようにしてもよい。
【００１６】
本発明による調光装置において、
前記四つの縁部は、前記一軸方向に対向して位置する第１縁部および第２縁部と、前記一軸方向に直交する他方向に対向して位置する第３縁部および第４縁部と、を含み、
前記第１縁部および前記第２縁部の一方と、前記第３縁部および前記第４縁部の一方とのみに、前記固定具および前記貫通孔が設けられているようにしてもよい。
【００１７】
本発明による調光装置において、
前記四つの縁部は、前記一軸方向に対向して位置する第１縁部および第２縁部と、前記一軸方向に直交する他方向に対向して位置する第３縁部および第４縁部と、を含み、
前記第１縁部および前記第２縁部の一方と、前記第３縁部と、前記第４縁部とのみに、前記固定具および前記貫通孔が設けられているようにしてもよい。
【００１８】
本発明による調光装置において、
前記四つの縁部は、前記一軸方向に対向して位置する第１縁部および第２縁部と、前記一軸方向に直交する他方向に対向して位置する第３縁部および第４縁部と、を含み、
前記第１縁部と、前記第２縁部と、前記第３縁部および前記第４縁部の一方とのみに、前記固定具および前記貫通孔が設けられているようにしてもよい。
【００１９】
本発明による調光装置において、前記四つの縁部のそれぞれに前記固定具および前記貫通孔が設けられているようにしてもよい。
【００２０】
本発明による調光装置において、前記固定具および前記貫通孔が設けられていない縁部の開口とは反対側に位置する外縁に、前記第１固定フレーム及び前記第２固定フレームを連結して当該外縁に沿って延びるガイドスペーサが設けられているようにしてもよい。
【発明の効果】
【００２１】
本発明によれば、調光制御板の露出面積を維持しながら、調光装置の小型化および軽量化を実現することができる。
【図面の簡単な説明】
【００２２】
【図１】図１は、本発明の一実施の形態を説明するための図であって、調光装置を示す平面図である。
【図２】図２は、第３フレームを取り除いた状態で図１の調光装置を示す平面図である。
【図３】図３は、図１のＩＩＩ−ＩＩＩ線に沿った断面図である。
【図４】図４は、図１のＩＩＩ−ＩＩＩ線に沿った断面図であり、可動フレームが図３とは異なる位置に移動した状態を示す。
【図５】図５は、図１のＶ−Ｖ線に沿った断面図である。
【図６】図６は、図１のＶＩ−ＶＩ線に沿った断面図である。
【図７】図７は、調光装置に含まれた調光制御板の作用を説明するための断面図である。
【図８】図８は、調光装置に含まれた調光制御板の作用を説明するための断面図である。
【図９】図９は、調光装置に含まれた調光制御板の光制御シートを示す平面図である。
【図１０】図１０は、図２に対応する図であって、調光装置の一変形例を説明するための図である。
【図１１】図１１は、図２に対応する図であって、調光装置の他の変形例を説明するための図である。
【図１２】図１２は、図２に対応する図であって、調光装置のさらに他の変形例を説明するための図である。
【図１３】図１３は、図２に対応する図であって、調光装置のさらに他の変形例を説明するための図である。
【図１４】図１４は、図２に対応する図であって、調光装置のさらに他の変形例を説明するための図である。
【図１５】図１５は、図２に対応する図であって、調光装置のさらに他の変形例を説明するための図である。
【図１６】図１６は、図２に対応する図であって、調光装置のさらに他の変形例を説明するための図である。
【発明を実施するための形態】
【００２３】
以下、図面を参照して本発明の一実施の形態について説明する。図１〜図９は本発明による一実施の形態を説明するための図である。なお、本件明細書に添付する図面においては、図示と理解のしやすさの便宜上、適宜縮尺および縦横の寸法比等を、実物のそれらから変更し誇張してある。
【００２４】
なお、本明細書において、「板」、「シート」、「フィルム」の用語は、呼称の違いのみに基づいて、互いから区別されるものではない。例えば、「板」は、シートやフィルムと呼ばれ得るような部材も含む概念であり、したがって、一例として、「調光制御板」は、「調光制御シート」や「調光制御フィルム」と呼ばれる部材と呼称の違いのみにおいて区別され得ず、また、「光制御シート」は、「光制御板」や「光制御フィルム」と呼ばれる部材と呼称の違いのみにおいて区別され得ない。
【００２５】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２６】
以下に説明する調光装置１０は、第１調光制御板６０及び第２調光制御板７０を含んでいる。この調光装置１０では、第１調光制御板６０及び第２調光制御板７０の相対位置に依存して、第１調光制御板６０及び第２調光制御板７０の両方を透過する光の透過率を調整し得るようになっている。調光装置１０は、第１調光制御板６０及び第２調光制御板７０とともに、第１調光制御板６０及び第２調光制御板７０を相対移動可能に保持する枠装置１１を含んでいる。枠装置１１は、各調光制御板６０，７０が露出面積を維持しながら、調光装置１０の小型化および軽量化を実現する工夫がなされている。
【００２７】
まず、調光装置１０に用いられ得る第１調光制御板６０及び第２調光制御板７０の一例について、説明する。図３、図４及び図６に示すように、図示された例において、第１調光制御板６０は、第１透光性基板６５と、第１透光性基板６５上に積層された第１光制御シート６１及び第１偏光板６２と、を有している。また、第２調光制御板７０は、第２透光性基板７５と、第２透光性基板７５上に積層された第２光制御シート７１及び第２偏光板７２と、を有している。
【００２８】
第１透光性基板６５および第２透光性基板７５は、光制御シート６１，７１及び偏光板６２，７２を支持するための支持体である。第１透光性基板６５および第２透光性基板７５として、例えば可視光に対して優れた透過性を有したガラス、ポリカーボネートやアクリル等の透明な樹脂等を用いることができる。
【００２９】
図７〜図９に示すように、第１光制御シート６１は、互いに異なる光学特性を有した第１領域６１ａ及び第２領域６１ｂを含んでいる。第１領域６１ａ及び第２領域６１ｂは、一方向ｄａに一定のピッチＰで繰り返し配置されている。図示された例において、第１光制御シート６１は、例えばＷＯ２０１２／１５７７２６Ａ１に開示されたパターン位相差フィルムとして形成されている。具体的には、第１領域６１ａおよび第２領域１ｂは、共に、リタデーションがλ／４の位相差フィルムからなり、ただし、当該位相差フィルムは、遅相軸が互いに直交するようにして配置されている。
【００３０】
第２光制御シート７１は、第１光制御シート６１と同様のパターン位相差フィルムとして形成されている。すなわち、第２光制御シート７１は、一方向ｄａに一定のピッチＰで繰り返し配置された第１領域７１ａ及び第２領域７１ｂを有している。第１領域７１ａおよび第２領域７１ｂは、共に、リタデーションがλ／４の位相差フィルムからなり、ただし、当該位相差フィルムは、遅相軸が互いに直交するようにして配置されている。
【００３１】
なお、第１光制御シート６１及び第２光制御シート７１は、第１領域６１ａ，７１ａ及び第２領域６１ｂ，７１ｂの配列方向が互いに平行となるように、保持されている。そして、第１調光制御板６０を保持する第１固定フレーム２０と、第２調光制御板７０を保持する可動フレーム４０との相対移動は、第１領域６１ａ，７１ａ及び第２領域６１ｂ，７１ｂの配列方向に沿って行われる。したがって、可動フレーム４０の第１固定フレーム２０に対する相対位置によらず、第１光制御シート６１における第１領域６１ａ及び第２領域６１ｂの配列方向は、第２光制御シート７１における第１領域７１ａ及び第２領域７１ｂの配列方向と、平行に維持される。
【００３２】
次に、第１偏光板６２及び第２偏光板７２は、一方の直線偏光成分の光を高い透過率で透過させるとともに、一方の直線偏光成分と直交する方向に振動する他方の直線偏光成分の光を吸収する機能を有している。そして、第１光制御シート６０及び第２光制御シート７０は、それぞれの吸収軸が互いに直交するようにして、すなわちクロスニコルで配置される。
【００３３】
第１偏光板６２の吸収軸に対して、第１光制御シート６１の第１領域６１ａの遅相軸は４５°をなし、第１光制御シート６１の第２領域６１ｂの遅相軸は−４５°をなしている。第１光制御シート６１の第１領域６１ａの遅相軸と、第２光制御シート７１の第１領域７１ａの遅相軸とは平行となっている。また、第１光制御シート６１の第２領域６１ｂの遅相軸と、第２光制御シート７１の第２領域７１ｂの遅相軸とは平行となっている。
【００３４】
以上のような第１調光制御板６０及び第２調光制御板７０の組み合わせにおいては、図３及び図７に示すように、第１光制御シート６１の第１領域６１ａと第２光制御シート７１の第１領域７１ａとが対面し、第１光制御シート６１の第２領域６１ｂと第２光制御シート７１の第２領域７１ｂとが対面する場合、第１偏光板６２を透過した一方の偏光成分の光は、第１光制御シート６１及び第２光制御シート７１の両方を透過した後に、振動方向を９０°回転させる。したがって、図７に示すように、第１光制御シート６１及び第２光制御シート７１の両方を透過した光は、一方の偏光成分とは振動方向が直交する他方の偏光成分の光となっており、第２偏光板７２を透過することができる。
【００３５】
一方、図３及び図７の状態から、第１調光制御板６０及び第２調光制御板７０が、第１領域６１ａ，７１ａ及び第２領域６１ｂ，７１ｂの配列ピッチＰだけ一軸方向に相対移動すると、図４及び図８に示すように、第１光制御シート６１の第１領域６１ａと第２光制御シート７１の第２領域７１ｂとが対面し、第１光制御シート６１の第２領域６１ｂと第２光制御シート７１の第１領域７１ａとが対面する。この状態において、第１偏光板６２を透過した一方の偏光成分の光は、第１光制御シート６１及び第２光制御シート７１の両方を透過した後に、振動方向を維持する。したがって、図８に示すように、第１光制御シート６１及び第２光制御シート７１の両方を透過した光は、一方の偏光成分の光のままであり、第２偏光板７２で吸収され、第２偏光板７２を透過することはできない。
【００３６】
以上のようにして、図示された調光装置１０では、第１調光制御板６０及び第２調光制御板７０の相対位置を調整することにより、可視光を透過させる状態（図３及び図７の状態）と、可視光を遮光する状態（図４及び図８の状態）と、に切り替えることができる。このように、図示された調光装置１０では、第１調光制御板６０及び第２調光制御板７０の相対位置を調整することにより、調光することができる。
【００３７】
なお、上述した第１調光制御板６０及び第２調光制御板７０は、一例に過ぎず種々の変更が可能である。以上の例に限られることなく、第１調光制御板６０及び第２調光制御板７０の相対位置に応じて、第１調光制御板６０及び第２調光制御板７０の両者を透過する光の透過率を調整することができるのであれば、調光装置１０は、調光機能を発揮することができる。
【００３８】
例えば、第１偏光板６２及び第２偏光板７２がクロスニコルの状態で配置される例を示したが、これに限られず、第１偏光板６２及び第２偏光板７２がパラレルニコルの状態で配置されるようにしてもよい。この例では、第１光制御シート６１の第１領域６１ａと第２光制御シート７１の第２領域７１ｂとが対面し、第１光制御シート６１の第２領域６１ｂと第２光制御シート７１の第１領域７１ａとが対面した図４及び図８の状態で、光が透過する。一方、第１光制御シート６１の第１領域６１ａと第２光制御シート７１の第１領域７１ａとが対面し、第１光制御シート６１の第２領域６１ｂと第２光制御シート７１の第２領域７１ｂとが対面した図３及び図７の状態で、遮光される。
【００３９】
また、第１光制御シート６１の第１領域６１ａ及び第２領域６１ｂが、共に、偏光板からなり、ただし、当該偏光板は、第１領域６１ａ及び第２領域６１ｂにおいて、吸収軸が互いに直交するようにして配置されているようにしてもよい。この際、第２光制御シート７１の第１領域７１ａ及び第２領域７１ｂが、共に、偏光板からなり、ただし、当該偏光板が、第１領域６１ａ及び第２領域６１ｂにおいて、吸収軸が互いに直交するようにして配置されるようにすればよい。この例では、第１光制御シート６１の第１領域６１ａと第２光制御シート７１の第１領域７１ａとが対面し、第１光制御シート６１の第２領域６１ｂと第２光制御シート７１の第２領域７１ｂとが対面した図３及び図７の状態で、光が透過する。一方、第１光制御シート６１の第１領域６１ａと第２光制御シート７１の第２領域７１ｂとが対面し、第１光制御シート６１の第２領域６１ｂと第２光制御シート７１の第１領域７１ａとが対面した図４及び図８の状態で、遮光される。なおこの例では、上述した第１偏光板６２及び第２偏光板７２は不要となる。
【００４０】
次に、第１調光制御板６０及び第２調光制御板７０を相対移動可能に支持する枠装置１１について説明する。
【００４１】
図１〜図５によく示されているように、枠装置１１は、第１調光制御板６０を保持する第１固定フレーム２０と、第１調光制御板６０に固定された第２固定フレーム３０と、第２調光制御板７０を保持する可動フレーム４０と、を有している。可動フレーム４０は、第１固定フレーム２０及び第２固定フレーム３０の間に支持され、第１固定フレーム２０及び第２固定フレーム３０に対して或一つの方向ｄａに沿って摺動可能となっている。
【００４２】
第１固定フレーム２０及び第２固定フレーム３０に対する可動フレーム４０の摺動方向は、第１固定フレーム２０及び可動フレーム４０に保持された光制御シート６１，７１の第１及び第２領域６１ａ，６１ｂ，７１ａ，７１ｂの配列方向である一方向と平行となっている。したがって、第１固定フレーム２０及び第２固定フレーム３０に対して可動フレーム４０を摺動させることにより、調光を行うことができる。
【００４３】
図２に示すように、第１固定フレーム２０は、平面視において四角形形状、とりわけ矩形形状の外輪郭を有しており、その内部に貫通した開口２０ａを有している。開口２０ａは、第１固定フレーム２０の外輪郭に対応して、平面視において四角形形状、とりわけ矩形形状の輪郭を有している。すなわち、第１固定フレーム２０は、四角形形状の開口２０ａを周状に取り囲む四つの縁部２１，２２，２３，２４を有している。四つの縁部は、摺動方向ｄａに対向して位置する第１縁部２１および第２縁部２２と、摺動方向ｄａに直交する他方向に対向して位置する第３縁部２３および第４縁部２４と、を含んでいる。図示された例において、第１縁部２１は図面の右に位置し、第２縁部２２は図面の左に位置し、第３縁部２３は図面の上に位置し、第４縁部２４は図面の下に位置している。
【００４４】
第１調光制御板６０は、第１固定フレーム２０の開口２０ａに対面する位置に保持されている。すなわち、第１調光制御板６０は、第１固定フレーム２０の開口２０ａ内に露出している。また、第１調光制御板６０は、第１固定フレーム２０の開口２０ａの全領域を塞いでいる。
【００４５】
図１に示すように、第２固定フレーム３０は、第１固定フレーム２０に対応した形状を有している。第２固定フレーム３０は、平面視において四角形形状、とりわけ矩形形状の外輪郭を有しており、その内部に貫通した開口３０ａを有している。開口３０ａは、第２固定フレーム３０の外輪郭に対応して、平面視において四角形形状、とりわけ矩形形状の輪郭を有している。すなわち、第２固定フレーム３０は、四角形形状の開口３０ａを周状に取り囲む四つの縁部３１，３２，３３，３４を有している。四つの縁部は、摺動方向ｄａに対向して位置する第１縁部３１および第２縁部３２と、摺動方向ｄａに直交する他方向に対向して位置する第３縁部３３および第４縁部３４と、を含んでいる。第２固定フレーム３０の四つの縁部３１，３２，３３，３４は、それぞれ、第１固定フレーム２０の四つの縁部２１，２２，２３，２４に対面する位置に配置されている。
【００４６】
とりわけ図示された例において、第２固定フレーム３０は、第１固定フレーム２０と同一の平面視形状を有している。すなわち、第２固定フレーム３０の外輪郭は、第１固定フレーム２０の外輪郭と同一である。また、第２固定フレーム３０の開口３０ａの外形状は、第１固定フレーム２０の開口２０ａの外形状と同一である。
【００４７】
図２に示すように、可動フレーム４０は、第１固定フレーム２０に対応した形状を有している。可動フレーム４０は、平面視において四角形形状、とりわけ矩形形状の外輪郭を有しており、その内部に貫通した開口４０ａを有している。開口４０ａは、可動フレーム４０の外輪郭に対応して、平面視において四角形形状、とりわけ矩形形状の輪郭を有している。すなわち、可動フレーム４０は、四角形形状の開口４０ａを周状に取り囲む四つの縁部４１，４２，４３，４４を有している。四つの縁部は、摺動方向ｄａに対向して位置する第１縁部４１および第２縁部４２と、摺動方向ｄａに直交する他方向に対向して位置する第３縁部４３および第４縁部４４と、を含んでいる。可動フレーム４０の四つの縁部４１，４２，４３，４４は、それぞれ、第１固定フレーム２０の四つの縁部２１，２２，２３，２４に対面する位置に配置されている。
【００４８】
第２調光制御板７０は、可動フレーム４０の開口４０ａに対面する位置に保持されている。すなわち、第２調光制御板７０は、可動フレーム４０の開口４０ａ内に露出している。また、第２調光制御板７０は、可動フレーム４０の開口４０ａの全領域を塞いでいる。結果として、第１調光制御板６０及び第２調光制御板７０は、枠装置１１により、互いに対面する位置に保持されている。
【００４９】
可動フレーム４０の第１縁部４１には、つまみ４６が設けられている。つまみ４６は、可動フレーム４０を第１及び第２固定フレーム２０，３０に対して摺動させる際に、可動フレーム４０を把持するために用いられる。また、第２固定フレーム３０の第１縁部３１には、可動フレーム４０のつまみ４６を露出させるための露出開口３６が形成されている。なお、図５に示された例において、つまみ４６は、可動フレーム４０の第１縁部４１に形成された凹部となっている。ただし、この例に限られず、種々の形態によりつまみ４６を形成することができる。
【００５０】
図示された例において、第１及び第２固定フレーム２０，３０の開口２０ａ，３０ａは、摺動方向ｄａへ直交する高さについて、可動フレーム４０の開口４０ａと同一または可動フレーム４０の開口４０ａよりも小さくなっている。一方、第１及び第２固定フレーム２０，３０の開口２０ａ，３０ａは、摺動方向ｄａへの幅について、可動フレーム４０の開口４０ａよりも小さくなっている。この結果、図３及び図４からも理解され得るように、第１固定フレーム２０及び第２固定フレーム３０に対して可動フレーム４０を摺動させた場合においても、第１及び第２固定フレーム２０，３０の開口２０ａ，３０ａ内に、可動フレーム４０が現れないようになっている。
【００５１】
具体的な寸法として、第１及び第２固定フレーム２０，３０の開口２０ａ，３０ａの摺動方向ｄａに沿った幅と、可動フレーム４０の開口４０ａの摺動方向ｄａに沿った幅との差は、光制御シート６１，７１の各領域６１ａ，６１ｂ，７１ａ，７１ｂの配列ピッチＰ以上、光制御シート６１，７１の各領域６１ａ，６１ｂ，７１ａ，７１ｂの配列ピッチＰの二倍（２×Ｐ）未満となっていることが好ましい。上述したように、調光装置１０が調光機能を発揮する上で、第１及び第２固定フレーム２０，３０に対する可動フレーム４０の相対移動量は、光制御シート６１，７１の各領域６１ａ，６１ｂ，７１ａ，７１ｂの配列ピッチＰ分あれば十分である。
【００５２】
その一方で、第１及び第２固定フレーム２０，３０に対する可動フレーム４０の相対移動可能量が大きくなると、枠装置１１が大型化且つ重量化してしまう。また、第１及び第２固定フレーム２０，３０に対する可動フレーム４０のがたつきが大きくなる。この場合、第１光制御シート６１の各領域６１ａ，６１ｂと第１光制御シート６１の各領域７１ａ，７１ｂとが高精度に重ならなくなり、期待した調光が実現されていない縞状の領域が、調光制御板６０，７０の面内に、生じてしまう。この観点から、第１及び第２固定フレーム２０，３０に対する可動フレーム４０の摺動可能な長さを、光制御シート６１，７１の各領域６１ａ，６１ｂ，７１ａ，７１ｂの配列ピッチＰ以上、光制御シート６１，７１の各領域６１ａ，６１ｂ，７１ａ，７１ｂの配列ピッチＰの二倍（２×Ｐ）未満とし、併せて、第１及び第２固定フレーム２０，３０の開口２０ａ，３０ａの摺動方向ｄａに沿った幅と、可動フレーム４０の開口４０ａの摺動方向ｄａに沿った幅との差は、光制御シート６１，７１の各領域６１ａ，６１ｂ，７１ａ，７１ｂの配列ピッチＰ以上、光制御シート６１，７１の各領域６１ａ，６１ｂ，７１ａ，７１ｂの配列ピッチＰの二倍（２×Ｐ）未満とすることが好ましい。
【００５３】
ところで、図１及び図２に示すように、第１固定フレーム２０及び第２固定フレーム３０の外周縁の一部分の外方には、第１固定フレーム２０及び第２固定フレーム３０を連結するガイドスペーサ５０が設けられている。図示された例では、第１及び第２固定フレーム２０，３０の第２〜第４縁部３２〜３４，２２〜２４の外方に、それぞれ、第１固定フレーム２０及び第２固定フレーム３０を連結する第２〜第４ガイドスペーサ５２〜５４が設けられている。ガイドスペーサ５０は、矩形形状の第１固定フレーム２０及び第２固定フレーム３０を三方から覆う三方枠として形成されている。
【００５４】
ガイドスペーサ５０は、図６に示すように、第１固定フレーム２０及び第２固定フレーム３０の端縁を連結して、図１及び図２に示すように、第１固定フレーム２０及び第２固定フレーム３０の外縁に沿って延びている。図６に示すように、ガイドスペーサ５０は、第１固定フレーム２０及び第２固定フレーム３０の間に可動フレーム４０が配置され得るスペースを確保するよう、第１固定フレーム２０及び第２固定フレーム３０の相対位置を固定している。また、ガイドスペーサ５０は、第１固定フレーム２０及び第２固定フレーム３０の間で可動フレーム４０が移動可能となる範囲を画定している。すなわち、ガイドスペーサ５０は、第１固定フレーム２０及び第２固定フレーム３０に対する可動フレーム４０の摺動が所定の方向ｄａとなるよう、可動フレーム４０の第１及び第２固定フレーム２０，３０に対する相対移動を案内している。
【００５５】
ただし、第１及び第２固定フレーム２０，３０の外縁の外方にガイドスペーサ５０を設けた場合、調光装置１０及び枠装置１１の平面視における外形状が大型化してしまう。また、ガイドスペーサ５０を設けることによって、調光装置１０及び枠装置１１が重量化してしまう。また逆に、調光装置１０を取り付けるべき場所の大きさが決まっている場合、調光制御板６０，７０が露出している開口２０ａ，３０ａ，４０ａの大きさを小さくする必要が生じてしまう。このような不具合を回避するため、本実施の形態では、第１及び第２固定フレーム２０，３０の第１縁部２１，３１の外方に第１ガイドスペーサ５１を設けることに代えて、他の手段により、第１及び第２固定フレーム２０，３０の相対位置を固定するとともに、可動フレーム４０の第１及び第２固定フレーム２０，３０に対する相対移動を案内している。
【００５６】
具体的には、調光装置１０が次の構成を有している。まず、図２〜図４に示すように、可動フレーム４０に貫通孔４５が形成されている。この貫通孔４５は、図２に示すように、可動フレーム４０の第１及び第２固定フレーム２０，３０に対する摺動方向ｄａに細長く延びている。そして、図４及び図５に示すように、第１固定フレーム２０及び第２固定フレーム３０の間に、この貫通孔４５を貫通して延びる固定具１５が設けられている。固定具１５は、第１固定フレーム２０及び第２固定フレーム３０の間を延びて、第１固定フレーム２０及び第２固定フレーム３０の相対位置を固定する。図示された例では、固定具１５の端部が、第１固定フレーム２０又は第２固定フレーム３０に埋め込まれ、当該固定フレーム２０，３０に固定されている。
【００５７】
そして、貫通孔４５と固定具１５との係合により、第１及び第２固定フレーム２０，３０に対する可動フレーム４０の摺動が案内される。より具体的には、固定具１５が貫通孔４５を貫通して延びていることにより、第１及び第２固定フレーム２０，３０に対する可動フレーム４０の摺動が所定の方向ｄａとなるように規制され、また、第１及び第２固定フレーム２０，３０に対する可動フレーム４０の摺動可能な範囲が画定される。
【００５８】
図示された例においては、第１縁部２１，３１，４１の長手方向に離間した二箇所において、可動フレーム４０に貫通孔４５が形成され、且つ、第１固定フレーム２０及び第２固定フレーム３０の間に各貫通孔４５を通過して延びる固定具１５が設けられている。
【００５９】
なお、以上のような調光装置１０においては、第１及び第２固定フレーム２０，３０に対する可動フレーム４０のがたつきが大きくなると、第１光制御シート６１の各領域６１ａ，６１ｂと第１光制御シート６１の各領域７１ａ，７１ｂとが高精度に重ならなくなってしまう。この場合、調光装置１０が期待した調光機能を実現することができず、調光が不十分な縞状の領域が調光制御板６０，７０の面内に生じてしまう。
【００６０】
この点について、本件発明者らが検討を重ねたところ、第１固定フレーム２０及び第２固定フレーム３０に対して可動フレーム４０を正規の位置から一方の向きに回転させようとした際に生じる可動フレーム４０のがたつきを、可動フレーム４０の外周縁上の一点における摺動方向ｄａに沿った最大ずれ量として評価した場合、当該最大ずれ量ｚ（図２参照）が、０．１０ｍｍ以下となっていることが有効であることが確認された。最大ずれ量ｚが０．１０ｍｍ以下となっている場合、本実施の形態で説明してきた形状の調光装置１０であって、とりわけ各縁部の長さが３０ｃｍから１００ｃｍであり且つ光制御シート６１，７１の各領域６１ａ，６１ｂ，７１ａ，７１ｂのピッチＰが０．５ｃｍから４ｃｍである調光装置１０については、調光不十分な縞状領域が観察されなかった。なお、「正規の位置」とは、摺動方向ｄａにおいて摺動可能な範囲の中心であるとともに、摺動方向ｄａに直交する方向における移動可能な範囲（遊び、がたつき）の中心であり、且つ、可動フレーム４０以外の枠装置１１の構成に対して傾斜していない場合における可動フレーム４０の位置のことである。
【００６１】
、
なお、本実施の形態における調光装置１０についての最大ずれ量ｚは、調光装置１０の各寸法Ｈ，Ｗ，ＤHを用いて、次の式によって表される。したがって、各寸法Ｈ，Ｗ，ＤHを調整することにより、最大ずれ量ｚを０．１０ｍｍ以下とすることができる。なお、図２に示すように、式中における「Ｗ」は、矩形形状からなる可動フレーム４０の摺動方向ｄａに沿った幅〔ｍｍ〕であり、「Ｈ」は、矩形形状からなる可動フレーム４０の摺動方向ｄａに直交する方向に沿った高さ〔ｍｍ〕であり、「ＤH」は、正規位置に配置された矩形形状からなる可動フレーム４０の第３縁部４３と第３ガイドスペーサ５３との間の最大隙間ＤH2および正規位置に配置された矩形形状からなる可動フレーム４０の第４縁部４４と第４ガイドスペーサ５４との間の最大隙間ＤH1のうちの大きいほうの値である。
Z＝((H/2)2＋(W/2)2)1/2×(cosθ1−cosθ2)
θ1＝tan-1(H/W)
θ2＝sin-1(((H/2)＋DH)/((H/2)2＋(W/2)2)1/2)
【００６２】
以上のような本実施の形態によれば、調光装置１０は、第１固定フレーム２０と、第１フレーム２０に固定された第２固定フレーム３０と、第１固定フレーム２０と第２固定フレーム３０との間に配置され第１固定フレーム２０及び第２固定フレーム３０に対して一方向ｄａに往復摺動可能な可動フレーム４０と、第１固定フレーム２０に保持された第１調光制御板６０と、少なくとも部分的に第１調光制御板６０と対面するようにして可動フレーム４０に保持された第２調光制御板７０と、を有している。この調光装置１０において、第１調光制御板６０及び第２調光制御板７０の両方を透過する光の透過率は、第１調光制御板６０及び第２調光制御板７０の相対位置に応じて変化する。そして、調光装置１０は、可動フレーム４０に形成された貫通孔４５を貫通して、第１固定フレーム２０と第２固定フレーム３０との間を延びる固定具１５をさらに有し、貫通孔４５と固定具１５との係合により、第１固定フレーム２０及び第２固定フレーム３０に対する可動フレーム４０の一方向ｄａへの往復摺動を案内することができる。このような本実施の形態によれば、第１固定フレーム２０及び第２固定フレーム３０の外縁の外方に位置するようになるガイドスペーサ５０を少なくとも部分的に削除することができる。これにより、調光制御板６０，７０の露出面積を維持しながら、調光装置１０の小型化および軽量化を実現することができる。
【００６３】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００６４】
まず、上述した実施の形態では、枠装置１１の第１縁部２１，３１，４１のみに、貫通孔４５及び固定具１５の組み合わせが設けられている例を示したが、この例に限られない。例えば、貫通孔４５及び固定具１５の組み合わせが、第１固定フレーム２０、第２固定フレーム３０及び可動フレーム４０の第２縁部２２，３２，４２のみに設けられていてもよい。さらに、第１固定フレーム２０、第２固定フレーム３０及び可動フレーム４０の第３縁部２３，３３，４３及び第４縁部２４，３４，４４のいずれか一方のみに、貫通孔４５及び固定具１５の組み合わせが設けられていてもよい。
【００６５】
図１０に示された調光装置１０では、第１固定フレーム２０、第２固定フレーム３０及び可動フレーム４０の第３縁部２３，３３，４３のみに、貫通孔４５及び固定具１５の組み合わせが設けられている。図１０に示された例において、ガイドスペーサ５０として、第１及び第２固定フレーム２０，３０の第１縁部２１，３１の外縁の外方に位置する第１ガイドスペーサ５１と、第１及び第２固定フレーム２０，３０の第２縁部２２，３２の外縁の外方に位置する第２ガイドスペーサ５２と、第１及び第２固定フレーム２０，３０の第４縁部２４，３４の外縁の外方に位置する第４ガイドスペーサ５４とが設けられている。
【００６６】
上述したように、調光が不十分な縞状の領域が調光制御板６０，７０上に発生することを防止する観点から、最大ずれ量ｚは０．１０ｍｍ以下であることが有効である。図１０に示された調光装置１０での最大ずれ量ｚは、調光装置１０の各寸法Ｈ，Ｗ，ＤH，ＳH，ＳW，ＳＳHを用いて、次の式によって表される。したがって、各寸法Ｈ，Ｗ，ＤH，ＳH，ＳW，ＳＳHを調整することにより、最大ずれ量ｚを０．１０ｍｍ以下とすることができる。
Z＝(((H/2)+SH)2＋((W/2)+SW)2)1/2×(cosθ1−cosθ2)
θ1＝sin-1(((H/2)+SH)/(((H/2)+SH)2＋((W/2)+SW)2)1/2)
θ2＝sin-1((SSH+SH+(H/2)+DH)/(((H/2)+SH)2＋((W/2)+SW)2)1/2)
【００６７】
なお、式中における「Ｗ」、「Ｈ」、「ＤH」は、図２を参照しながら既に説明した寸法である。一方、図１０に示すように、「ＳW」は、正規の位置にある可動フレーム４０の中心から、可動フレーム４０を第１及び第２固定フレーム２０，３０に対して正規の位置から一方の向きに回転させた際に固定具１５に接触するようになる貫通孔４５の内縁上の位置までの、摺動方向ｄａに沿った長さである。「ＳH」は、正規の位置にある可動フレーム４０の中心から、可動フレーム４０を第１及び第２固定フレーム２０，３０に対して正規の位置から一方の向きに回転させた際に固定具１５に接触するようになる貫通孔４５の内縁上の位置までの、摺動方向ｄａに直交する方向に沿った長さである。「ＳＳH」は、正規の位置にある可動フレーム４０の貫通孔４５の下縁から固定具１５まで最大隙間ＳＳH1および正規の位置にある可動フレーム４０の貫通孔４５の上縁から固定具１５まで最大隙間ＳＳH2のうちの大きいほうの値である。
【００６８】
また、第１固定フレーム２０、第２固定フレーム３０及び可動フレーム４０の二つの縁部に、貫通孔４５及び固定具１５の組み合わせが設けられていてもよい。例えば、図１１に示すように、第１縁部２１，３１，４１及び第２縁部２２，３２，４２に、貫通孔４５及び固定具１５の組み合わせが設けられていてもよい。図１１に示された例において、ガイドスペーサ５０として、第１及び第２固定フレーム２０，３０の第３縁部２３，３３の外縁の外方に位置する第３ガイドスペーサ５３と、第１及び第２固定フレーム２０，３０の第４縁部２４，３４の外縁の外方に位置する第４ガイドスペーサ５４とが設けられている。図１１に示された調光装置１０での最大ずれ量ｚは、図２を参照しながら説明した上述の実施の形態と同様に、調光装置１０の各寸法Ｈ，Ｗ，ＤHを調整することにより、最大ずれ量ｚを０．１０ｍｍ以下とすることができる。
【００６９】
また、図１２に示すように、第１固定フレーム２０、第２固定フレーム３０及び可動フレーム４０の第３縁部２３，３３，４３及び第４縁部２４，３４，４４に、貫通孔４５及び固定具１５の組み合わせが設けられていてもよい。図１２に示された例において、ガイドスペーサ５０として、第１及び第２固定フレーム２０，３０の第１縁部２１，３１の外縁の外方に位置する第１ガイドスペーサ５１と、第１及び第２固定フレーム２０，３０の第２縁部２２，３２の外縁の外方に位置する第２ガイドスペーサ５２とが設けられている。
【００７０】
図１２に示された調光装置１０での最大ずれ量ｚは、調光装置１０の各寸法Ｈ，Ｗ，ＤH，ＳH，ＳW，ＳＳHを用いて、次の式によって表される。したがって、各寸法Ｈ，Ｗ，ＤH，ＳH，ＳW，ＳＳHを調整することにより、最大ずれ量ｚを０．１０ｍｍ以下とすることができる。
Z＝((H/2)2＋(W/2)2)1/2×(cos(θ3−Δθ)−cosθ3)
Δθ＝θ2−θ1
θ1＝sin-1(SH/((Sw)2＋(SH)2)1/2)
θ2＝sin-1((SH＋SSH)/((Sw)2＋(SH)2)1/2)
θ3＝tan-1(H/W)
なお、式中における「Ｗ」、「Ｈ」、「ＤH」、「ＳW」、「ＳH」、「ＳＳH」は、図１０を参照しながら既に説明した寸法である。
【００７１】
さらに、第１固定フレーム２０、第２固定フレーム３０及び可動フレーム４０の第１縁部２１，３１，４１及び第２縁部２２，３２，４２の一方と、第３縁部２３，３３，４３及び第４縁部２４，３４，４４の一方とに、貫通孔４５及び固定具１５の組み合わせが設けられていてもよい。一例として、図１３に示された調光装置１０では、第２縁部２２，３２，４２及び第３縁部２３，３３，４３に、貫通孔４５及び固定具１５の組み合わせが設けられている。図１３に示された例において、ガイドスペーサ５０として、第１及び第２固定フレーム２０，３０の第１縁部２１，３１の外縁の外方に位置する第１ガイドスペーサ５１と第１及び第２固定フレーム２０，３０の第４縁部２４，３４の外縁の外方に位置する第４ガイドスペーサ５４とが設けられている。図１３に示された調光装置１０での最大ずれ量ｚは、図１０を参照しながら説明した上述の変形例と同様に、調光装置１０の各寸法Ｈ，Ｗ，ＤH，ＳH，ＳW，ＳＳHを調整することにより、最大ずれ量ｚを０．１０ｍｍ以下とすることができる。
【００７２】
さらに、第１固定フレーム２０、第２固定フレーム３０及び可動フレーム４０の三つの縁部に、貫通孔４５及び固定具１５の組み合わせが設けられていてもよい。例えば、図１４に示すように、第１縁部２１，３１，４１、第３縁部２３，３３，４３及び第４縁部２４，３４，４４に、貫通孔４５及び固定具１５の組み合わせが設けられていてもよい。図１４に示された例において、ガイドスペーサ５０として、第１及び第２固定フレーム２０，３０の第２縁部２２，３２の外縁の外方に位置する第２ガイドスペーサ５２が設けられている。図１４に示された調光装置１０での最大ずれ量ｚは、図１２を参照しながら説明した変形例と同様に、調光装置１０の各寸法Ｈ，Ｗ，ＤH，ＳH，ＳW，ＳＳHを調整することにより、最大ずれ量ｚを０．１０ｍｍ以下とすることができる。
【００７３】
また、図１５に示すように、第１固定フレーム２０、第２固定フレーム３０及び可動フレーム４０の第１縁部２１，３１，４１、第２縁部２２，３２，４２及び第３縁部２３，３３，４３に、貫通孔４５及び固定具１５の組み合わせが設けられていてもよい。図１５に示された例において、ガイドスペーサ５０として、第１及び第２固定フレーム２０，３０の第４縁部２４，３４の外縁の外方に位置する第４ガイドスペーサ５４が設けられている。図１５に示された調光装置１０での最大ずれ量ｚは、図１０を参照しながら説明した上述の変形例と同様に、調光装置１０の各寸法Ｈ，Ｗ，ＤH，ＳH，ＳW，ＳＳHを調整することにより、最大ずれ量ｚを０．１０ｍｍ以下とすることができる。
【００７４】
さらに、図１６に示すように、第１固定フレーム２０、第２固定フレーム３０及び可動フレーム４０の四つの縁部の全てに、貫通孔４５及び固定具１５の組み合わせが設けられていてもよい。図１６に示された例において、ガイドスペーサ５０は設けられていない。図１６に示された調光装置１０での最大ずれ量ｚは、図１２を参照しながら説明した上述の実施の形態と同様に、調光装置１０の各寸法Ｈ，Ｗ，ＤH，ＳH，ＳW，ＳＳHを調整することにより、最大ずれ量ｚを０．１０ｍｍ以下とすることができる。
【００７５】
また、上述した実施の形態において、第１及び第２固定フレーム２０，３０の各縁部に対して、貫通孔４５及び固定具１５を二つ設ける例を示した。しかしながら、この例に限られず、各縁部に対して、貫通孔４５及び固定具１５を一つだけ設けるようにしてもよいし、各縁部に対して、貫通孔４５及び固定具１５を三以上設けるようにしてもよい。
【００７６】
さらに、上述した実施の形態において、第１及び第２固定フレーム２０，３０の各縁部には、その外縁の外方に位置するガイドスペーサ５０、並びに、貫通孔４５及び固定具１５の組み合わせのいずれか一方が設けられている例を示した。しかしながら、この例に限られず、ガイドスペーサ５０、並びに、貫通孔４５及び固定具１５の組み合わせのいずれも設けられていない縁部が存在してもよい。とりわけ、貫通孔４５及び固定具１５の組み合わせは、可動フレーム４０の第１及び第２固定フレーム２０，３０に対する摺動可能な方向および範囲を規制し、同時に、第１固定フレーム２０及び第２固定フレーム３０の相対位置を固定することができる。したがって、例えば、貫通孔４５及び固定具１５の組み合わせが二つの縁部に設けられている図１１〜図１５の調光装置１０では、ガイドスペーサ５０をすべて削除することも可能である。
【００７７】
なお、以上において上述した実施の形態に対するいくつかの変形例を説明してきたが、当然に、複数の変形例を適宜組み合わせて適用することも可能である。
【符号の説明】
【００７８】
１０   調光装置
１１   枠装置
１５   固定具
２０   第１固定フレーム
２０ａ 開口
２１   第１縁部
２２   第２縁部
２３   第３縁部
２４   第４縁部
３０   第２固定フレーム
３０ａ 開口
３１   第１縁部
３２   第２縁部
３３   第３縁部
３４   第４縁部
３６   露出開口
４０   可動フレーム
４０１ 開口
４１   第１縁部
４２   第２縁部
４３   第３縁部
４４   第４縁部
４５   貫通孔
４６   つまみ
５０   ガイドスペーサ
５１   第１ガイドスペーサ
５２   第２ガイドスペーサ
５３   第３ガイドスペーサ
５４   第４ガイドスペーサ
６０   第１調光制御板
６１   第１光制御シート
６１ａ 第１領域
６１ｂ 第２領域
６２   第１偏光板
６５   第１透光性基板
７０   第２調光制御板
７１   第２光制御シート
７１ａ 第３領域
７１ｂ 第４領域
７２   第２偏光板
７５   第２透光性基板
【図１】
2015140535.tif 000003
【図２】
2015140535.tif 000004
【図３】
2015140535.tif 000005
【図４】
2015140535.tif 000006
【図５】
2015140535.tif 000007
【図６】
2015140535.tif 000008
【図７】
2015140535.tif 000009
【図８】
2015140535.tif 000010
【図９】
2015140535.tif 000011
【図１０】
2015140535.tif 000012
【図１１】
2015140535.tif 000013
【図１２】
2015140535.tif 000014
【図１３】
2015140535.tif 000015
【図１４】
2015140535.tif 000016
【図１５】
2015140535.tif 000017
【図１６】
2015140535.tif 000018